(57)【要約】  カスタマイズ可能なパルスオキシメトリアセンブリが開示される。上記アセンブリが、第１のレセプタクル、第２のレセプタクル、及び第１のレセプタクルと第２のレセプタクルとを接続するフレキシブルコネクタを備える包帯を有する。アセンブリはまた、上記第１のレセプタクルに光エミッタを取り外し可能に取り付ける第１のプローブハウジングを含む光エミッタと、上記第２のレセプタクルに取り外し可能に取り付けられる第２のプローブハウジングを含む光センサとを有する。上記光エミッタ及び上記光センサを物理的に結合し、上記光エミッタ及び上記光センサを患者モニタに通信可能に結合するケーブルコネクタが、アセンブリの一部として含まれる。上記フレキシブルコネクタ、上記第１のプローブハウジング、及び上記第２のプローブハウジングが、患者の身体部分の寸法による上記光エミッタと上記光センサとの間の分離及びアラインメントに関して調整されることができる。
2019502422.tif 000002
【特許請求の範囲】
【請求項１】
カスタマイズ可能なパルスオキシメトリアセンブリであって、
第１のレセプタクル及び第２のレセプタクルを備える包帯と、
前記第１のレセプタクル及び前記第２のレセプタクルを接続するフレキシブルコネクタと、
前記第１のレセプタクルに光エミッタを取り外し可能に取り付ける第１のプローブハウジングを含む光エミッタと、
前記第２のレセプタクルに取り外し可能に取り付けられる第２のプローブハウジングを含む光センサと、
前記光エミッタ及び前記光センサを物理的に結合し、更に前記光エミッタ及び前記光センサを患者モニタに通信可能に結合するケーブルコネクタとを有し、
前記フレキシブルコネクタ、前記第１のプローブハウジング、及び前記第２のプローブハウジングが、患者の身体部分の寸法から生じる前記光エミッタと前記光センサとの間の分離及びアラインメントに関して調整され、
前記第１のレセプタクル、前記第２のレセプタクル、及び前記フレキシブルコネクタは、個別に取り外し可能である、パルスオキシメトリアセンブリ。
【請求項２】
前記光エミッタが、所定の時間期間の間、動作を交互に行う、請求項１に記載のアセンブリ。
【請求項３】
前記光センサが、赤色光及び赤外光の両方に応答する、請求項１に記載のアセンブリ。
【請求項４】
前記光センサが、環境光を補正する、請求項１に記載のアセンブリ。
【請求項５】
前記光エミッタが、ＬＥＤ、フォトダイオード、フォトトランジスタ、及びフォトエミッタを含む群から選択される、請求項１に記載のアセンブリ。
【請求項６】
前記光エミッタが、１つ又は複数の波長で動作する、請求項１に記載のアセンブリ。
【請求項７】
前記プローブハウジングが、フレキシブルである、請求項１に記載のアセンブリ。
【請求項８】
前記プローブハウジングが、前記エミッタから前記センサへの光の転送を可能にする１つ又は複数の穿孔を含む、請求項１に記載のアセンブリ。
【請求項９】
前記プローブハウジングが、少なくとも１つの波長において光学的に透明であり、前記少なくとも１つの波長は、前記光エミッタが動作する波長である、請求項８に記載のアセンブリ。
【請求項１０】
前記レセプタクルの少なくとも１つが、ベルクロ、磁石、ファスナ、ネジ、クランプ、クリップ、フック、ポケット、ストラップ、吸引カップ、ピン、穴、又はスナップを含むグループから選択される１つ又は複数のアタッチメントを含む、請求項１に記載のアセンブリ。
【請求項１１】
前記アタッチメントが、前記レセプタクルの下に配置され、前記光エミッタ及び前記光センサの患者の身体部分との直接接触が可能にされる、請求項１０に記載のアセンブリ。
【請求項１２】
前記アタッチメントが、前記レセプタクルの外側に配置され、前記光エミッタ及び前記光センサが外部に取り付けられることができる、請求項１０に記載のアセンブリ。
【請求項１３】
前記レセプタクルは不透明であり、前記光エミッタから前記患者の身体部分を通り、及び前記患者の身体部分から前記光センサまでの光の透過を可能にする窓を含む、請求項１に記載のアセンブリ。
【請求項１４】
前記フレキシブルコネクタが、一連のヒンジを含む、請求項１に記載のアセンブリ。
【請求項１５】
前記ヒンジが、枢動可能かつ逐次的に相互接続され、馬蹄構成への操作が可能にされる、請求項１４に記載のアセンブリ。
【発明の詳細な説明】
【技術分野】
【０００１】
本発明は一般に、パルスオキシメトリアセンブリに関する。より詳細には、本発明は、光エミッタ及び光センサを取り付けるためのフレキシブルコネクタ及びレセプタクルを持つパルスオキシメトリアセンブリに関する。
【背景技術】
【０００２】
パルスオキシメトリは、患者の酸素飽和度（ＳｐＯ２）レベル及び灌流指数を監視及び取得する効果的で非侵襲的な方法である。パルスオキシメトリは、１つ又は複数の波長の光源を使用して、患者の血液灌流組織の照明を必要とする。次に、分光法が使用され、酸素飽和度における変化が決定される。これは、患者の状態のインジケーションを与えることができる。
【発明の概要】
【発明が解決しようとする課題】
【０００３】
パルスオキシメトリが光ベースで生理学的データを取得する方法のため、所望の検出信号の量を最大化し、検出された信号の寄与を最小化するために発光要素及び検出要素のアラインメントを確実にすることが重要である。
【０００４】
発光及び検出要素を整列させるため、パルスオキシメータは通常、剛性材料でできたクリップオンデバイスを使用する。これらは、患者の身体部分への配置又は取り付けを確実にするが、クリップオンデバイスは、著しく様々なサイズの患者の身体部分を収容することができない。フレキシブルオキシメータデバイスは、様々な寸法の患者の身体部分での使用に対する適合性の点で、クリップオンパルスオキシメータよりも有利である。それにもかかわらず、発光及び光検出要素は、フレキシブルオキシメータデバイスにおいて整列することが困難なままである。
【０００５】
例えば、ある米国特許出願公開公報は、オキシメータの読み取り値に対する患者の動きの望ましくない影響を緩和するためのフレキシブルオキシメトリアセンブリを開示する。フレキシブルオキシメータは、エミッタと検出器との間に配置され、エミッタと検出器との間の距離を安定させる補強部材を備える弾性センサ本体を含む。補強部材は、エミッタと検出器との間に一定の距離を確立するべく曲がるよう構成される。
【０００６】
更なる例として、ＵＳ８７０６１７９号は、それぞれエミッタ及び検出器を取り外し可能に取り付けるためのプローブエミッタレセプタクル及びプローブ検出器レセプタクルを持つ使い捨て可能な包帯装置を開示する。この装置はまた、エミッタと検出器との間のアラインメントを確実にするためのバイアス部材を含む。
【０００７】
この技術分野では、患者の身体部分の寸法に対処しつつ、光エミッタと光センサとの間の分離及びアラインメントを確実にするよう調整されることができるパルスオキシメータアセンブリに対する必要性が存在している。
【課題を解決するための手段】
【０００８】
本発明の第１の実施形態は、カスタマイズ可能なパルスオキシメトリアセンブリに関し、これは、第１のレセプタクル及び第２のレセプタクルを備える包帯と、上記第１のレセプタクル及び上記第２のレセプタクルを接続するフレキシブルコネクタとを有する。このアセンブリは、上記第１のレセプタクルに光エミッタを取り外し可能に取り付ける第１のプローブハウジングを含む光エミッタと、上記第２のレセプタクルに取り外し可能に取り付けられる第２のプローブハウジングを含む光センサとを有する。このアセンブリは更に、上記光エミッタ及び上記光センサを物理的に結合し、上記光エミッタ及び上記光センサを患者モニタに通信可能に結合するケーブルコネクタを有する。上記フレキシブルコネクタ、上記第１のプローブハウジング、及び上記第２のプローブハウジングが、患者の身体部分の寸法による上記光エミッタと上記光センサとの間の分離及びアラインメントを調整するよう構成される。
【０００９】
本発明の第２の実施形態は、第１のプローブハウジングを持つ光エミッタと、第２のプローブハウジングを持つ光センサとを包帯に取り付ける方法を含む。包帯は、第１のプローブハウジングに関する第１のレセプタクルと、第２のプローブハウジングに関する第２のレセプタクルと、第１のレセプタクルを第２のレセプタクルに接続するフレキシブルコネクタとを含む。包帯は、患者の身体部分の寸法を収容するよう、フレキシブルコネクタを介して伸ばされる。包帯は患者の身体部分に取り付けられる。包帯は、光エミッタと光センサとが整列されるよう調節されてもよい。次いで、光エミッタ及び光センサを使用して、光センサデータが取得される。次いで、データは、ケーブルコネクタを介して患者モニタに送信されることができる。
【図面の簡単な説明】
【００１０】
【図１Ａ】カスタマイズ可能なパルスオキシメトリアセンブリを示す図である。
【図１Ｂ】収縮した状態のパルスオキシメトリアセンブリを示す図である。
【図１Ｃ】患者の身体部分の物理的寸法を収容するため、伸びた状態のパルスオキシメトリアセンブリを示す図である。
【図２】本発明のパルスオキシメトリアセンブリを使用してパルスオキシメータデータを測定する方法を示す図である。
【図３Ａ】小さな指に取り付けられたパルスオキシメトリアセンブリを示す図である。
【図３Ｂ】大きな指に取り付けられたパルスオキシメトリアセンブリを示す図である。
【図３Ｃ】幼児の足に取り付けられたパルスオキシメトリアセンブリ１００を示す図である。
【発明を実施するための形態】
【００１１】
本発明の更なる理解を提供するために含まれる添付の図面は、本発明の実施形態を示すため本書に組み込まれる。説明とともに、図面は、本発明の原理を説明する役割も果たす。
【００１２】
以下は、本発明の様々な実施形態で使用される用語の定義である。
【００１３】
本書で使用される「レセプタクル」という用語は、光エミッタ又は光センサを取り付けるための構造的要素を指す。レセプタクルは、剛性要素（例えば、金属、ガラス又は剛性ポリマー）、可撓性要素（例えば、ポリマー又はゴム）、又はそれらの任意の組合せを含み得る。
【００１４】
本書で使用される「フレキシブルコネクタ」という用語は、２つのレセプタクルを接続し、２つのレセプタクルの間の分離及び配向を調整するための物理的コネクタを指す。フレキシブルコネクタは、ワイヤ、メッシュ、ポリマー、一連の枢動可能に接続されたセグメント、又はそれらの任意の組み合わせであって、長さが伸長又は収縮可能であり得るものとすることができる。
【００１５】
本書で使用される「包帯」という用語は、フレキシブルコネクタにより接続された２つのレセプタクルを含むアセンブリを指す。
【００１６】
本書で使用される「プローブハウジング」という用語は、光エミッタ又は光センサを囲む筐体を指す。プローブハウジングは可撓性であり、光エミッタ又は光センサをレセプタクルに取り付けるために更に使用可能である。プローブハウジングは、ポリマー外装材のような物質と、ワイヤ、メッシュ、プレート、又は曲げの際に可撓的で構造的に安定している任意の構成として構成される金属又はポリマーを含む可撓性内部物質とを有することができる。
【００１７】
本書で使用される用語「ケーブルコネクタ」は、光エミッタと光センサとを物理的に接続し、光エミッタと光センサとを患者モニタなどの外部デバイスに通信可能に接続するケーブルを指す。ケーブルコネクタは、Ｙ字型ケーブルとすることができ、一方の端部が外部システムに接続され、Ｙ分岐を備える他方の端部が光エミッタ及び光センサに接続される。ケーブルコネクタは、ケーブルの一端から他端にデータパケット及び電力を送信することができるＵＳＢケーブルとすることができる。ケーブルコネクタは、光ファイバケーブルであってもよい。
【００１８】
前述の定義を念頭に置いて、パルスオキシメトリは、患者の血液の酸素飽和度を測定する方法である。血液酸素飽和度は、血流におけるヘモグロビンにより運ばれる酸素の量の尺度である。飽和は通常、絶対値ではなくパーセンテージとして表される。
【００１９】
例えば、出生直後に測定された血中酸素飽和度レベルは、一般的な健康状態の良好な指標を提供することができる。７５％未満のレベルは、新生児が何らかの異常を患っている場合があることを示す可能性がある。患者の状態を決定するため、血液酸素飽和度は、酸素で飽和された全ヘモグロビンのパーセンテージとして表されるべきである。健康な患者に関する許容可能な正常範囲は、９５から９９％の範囲である。
【００２０】
本発明によるパルスオキシメータは、電子プロセッサと、患者の身体の半透明部分でフォトダイオードに面する２つ以上の小型発光ダイオード（ＬＥＤ）又は一連のＬＥＤとを含む。これは通常、指先又は耳たぶに付けられる。ＬＥＤの１つは、電磁スペクトルの可視部分の赤色部分（赤色ＬＥＤ）で発光し、他のＬＥＤは赤外部分で発光する。これらの２つの波長で吸収される光の量は、酸素富化血液と酸素不足血液との間で著しく異なり、酸素化ヘモグロビンはより多くの赤外光を吸収し、より多くの赤色光が通過することを可能にする。脱酸素化されたヘモグロビンは、より多くの赤外光が通過することを可能にし、より多くの赤色光を吸収する。オキシヘモグロビン及びその脱酸素化形態は、著しく異なる吸収パターンを持つ。
【００２１】
動作中、本発明のＬＥＤは、交互にオン／オフし、次に所定の時間の間、両方ともオフになる。この交番及び終了は、フォトダイオードなどの光センサが、赤色光及び赤外光に別々に応答し、環境光に起因して検出される光を補正することを可能にする。これは、両方のＬＥＤがオフであるとき測定され、ベースライン又は基準信号として使用される。透過される（即ち、吸収されない）光の量が測定され、別々の正規化された信号が、波長ごとに生成される。
【００２２】
これらの信号は、時間とともに変化する。なぜなら、存在する動脈血の量が各心拍とともに増加するからである。各波長におけるピーク透過光から最小透過光を差し引くことにより、他の組織及び物質（例えば、静脈血、皮膚、骨、筋肉、脂肪、ネイルポリッシュを含む）の影響が、それらが通常ある期間にわたって一定量の光を吸収するという点で補正されることができる。測定された赤色光と測定された赤外光との比が、プロセッサにより計算される。酸化されたヘモグロビンと脱酸素化されたヘモグロビンとの比を表すこの比は、次いで、プロセッサにより酸素飽和レベルの測定値へと変換される。
【００２３】
本発明の光エミッタは、発光ダイオード、フォトダイオード、フォトトランジスタ、フォトエミッタ、又は１つ若しくは複数の波長で光を放出し、放出される光の強度及び持続時間を変化させることができる他の任意のタイプの発光要素であってもよい。光センサは、光検出器、光電受信器、フォトダイオード、又は１つ若しくは複数の波長若しくは強度を備える光を検出することができる他の任意のセンサであってもよい。患者モニタは、ケーブルコネクタを介して光エミッタと光センサとの間で動作データを送信し、及び動作データを受信する。動作データは、波長、光強度、持続時間、及びサンプリングレートを含むことができる。
【００２４】
光エミッタ及び光センサはそれぞれ、光エミッタ又は光センサをそれぞれのレセプタクルに取り付けるためのプローブハウジングを含む。プローブハウジングは、患者の身体部分との十分な接触を確立するよう構成可能である。プローブハウジングはまた、光エミッタと光センサとのアラインメントを可能にするよう、及びそれらが取り付けられる患者の身体部分の表面の形状に他の態様で適合するよう、物理的に操作されることもできる。物理的操作の１つの形態は、患者の身体部分の表面の形状に一致するようプローブハウジングを曲げることを含む。例えば、患者の身体部分は、比較的平らな表面を持つことができる。その結果、プローブハウジングもまた平らになるよう構成される。一方、別の患者の身体部分は湾曲することができる。その結果、プローブハウジングが、湾曲表面に一致するように曲げられる。
【００２５】
プローブハウジングは好ましくは、最小の強度損失で光エミッタから光センサへ光が透過することを可能にするよう、１つ又は複数の穿孔を組み込む。代替的に、プローブハウジングは、光エミッタ又は光センサを完全に囲むことができる。斯かる実施形態では、ハウジングは好ましくは、光エミッタ及び光センサが動作する波長において光学的に透明である。
【００２６】
本発明の患者モニタは、プロセッサ、ディスプレイ、ユーザインタフェース、及びメモリを含む。患者モニタは、外部システムと無線又は有線接続を介してデータを送信又は受信する通信モジュールを更に含む。患者モニタはまた、ケーブルコネクタを患者モニタに接続するためのケーブルコネクタポートを含むことができる。
【００２７】
患者モニタは、ケーブルコネクタを介して光エミッタと光センサとの間でデータを送信する及び受信する機能を実行することができる。モニタは、ユーザインタフェースを介してユーザからの入力を受信するだけでなく、データを処理し、データを格納し、データを表示することもできる。モニタは、クラウドサーバ、病院サーバ、モバイルデバイスなどのデバイス、又はデスクトップコンピュータなどの外部システムと通信することもできる。
【００２８】
図１Ａは、カスタマイズ可能なパルスオキシメトリアセンブリ１００を示す。図１Ａに示されるように、アセンブリは、ケーブルコネクタ１０２、光エミッタ１０４、光センサ１０６、及びレセプタクル１１２及び１１４に接続されたフレキシブルコネクタ１１０を持つ包帯１０８を含む。図１Ａの光エミッタ１０４及び光センサ１０６はそれぞれ、レセプタクル１１２及び１１４に取り付けられる。フレキシブルコネクタ１１０は、患者の身体部分の寸法に適合するよう伸張、収縮、又は歪められることができる。図１Ｂは、収縮した状態のパルスオキシメトリアセンブリ１００を示す。図１Ｃは、患者の身体部分の物理的寸法を収容するよう、伸びた状態のパルスオキシメトリアセンブリ１００を示す。
【００２９】
包帯１０８は、２つのレセプタクル１１２及び１１４と、２つのレセプタクル１１２及び１１４を接続するフレキシブルコネクタ１１０とを含む。レセプタクル１１２及び１１４は、光エミッタ１０４及び光センサ１０６を取り付けるために使用可能である。フレキシブルコネクタ１１０は、光エミッタ１０４及び光センサ１０６の分離及びアラインメントの調整を可能にする。
【００３０】
レセプタクル１１２及び１１４は、光エミッタ１０４及び光センサ１０６をレセプタクル１１２及び１１４に固定するためのアタッチメントを更に含む。レセプタクルは、ベルクロ、磁石、ファスナ、ネジ、クランプ、クリップ、フック、ポケット、ストラップ、吸引カップ、ピン、穴、及びスナップといったアタッチメント手段の任意の１つ又は複数を組み込むことができる。アタッチメントを実現するための他の手段が使用されることもできる。
【００３１】
一実施形態では、前述のアタッチメントは、レセプタクルの下側に配置される。結果として、光エミッタ及び光センサは、患者の身体部分と直接接触する。別の実施形態では、アタッチメントは、レセプタクルの外側に配置される。結果として、光エミッタ及び光センサは、上記アタッチメントを介して上記レセプタクルの外側に取り付けられる。レセプタクルが不透明であり、光エミッタ及び光センサが不透明レセプタクルの外側に取り付けられる実施形態では、レセプタクルを介して窓が構築され、光エミッタからの光が患者の身体部分を通って、患者の身体部分から光センサに透過することが可能にされる。
【００３２】
フレキシブルコネクタは好ましくは、図１Ｃに示されるように伸張した状態で、コネクタが、図１Ｂに示される元の構成にスナップバックしないような物質で作られる。フレキシブルコネクタは、様々な構成をとるように曲げられることができる金属ワイヤ又はワイヤメッシュを含むことができる。屈曲、伸張、ねじれ、収縮、緊張、又はそれらの任意の組み合わせなどのフレキシブルコネクタ及びプローブハウジングの物理的操作は、好ましい実施形態では可逆的である。
【００３３】
フレキシブルコネクタは、フレキシブルコネクタを保護する軽量のケーシング又はシースを含むことができる。フレキシブルコネクタは好ましくは、丈夫で無毒である１つ又は複数の物質で作られる。例えば、フレキシブルコネクタは、ゴム製ケーシングにより包まれた金属ワイヤを含むことができる。代替的に、フレキシブルコネクタは、プラスチックシース内に閉じ込められたワイヤメッシュを含む。ケーシングの選択は、美学又はフォームファクタに基づかれることができる。医療施設又は機関は、パルスオキシメトリアセンブリの製造業者名、病院、又は製造年月日などのラベル又は他の有用な情報を含むようにケーシングを設計することができる。
【００３４】
フレキシブルコネクタはまた、ヒンジ又は類似のコネクタにより接続された複数の非可撓性サブ要素を含むことができる。結果として、複数の非可撓性サブ要素は、連続的な態様で枢動可能に相互接続された一連の剛性セグメントの場合に起こり得るように、集合的にフレキシブルである。一連の剛性セグメントは、曲率が変化する馬蹄形に曲げられてもよい。個々のサブ要素のピボットは、医療従事者により設定された曲げ構成を維持するため、ある程度の剛性を更に提供することができる。結果として、ピボットは、相互接続された複数のサブ要素に十分な剛性を与え、問題の物理的な歪み又は操作にかかわらず、それらが全体の形状を保持することが可能にされる。フレキシブルコネクタに使用される剛性セグメントの数は、患者の身体部分の１つ又は複数の寸法に基づき変えられることができる。
【００３５】
一実施形態では、フレキシブルコネクタは、波形を持つことができる。その結果、フレキシブルコネクタを伸長又は収縮させることで、波形フレキシブルコネクタが収縮、拡張、展開、及び折り畳むことがもたらされる。結果として、波形の隆起部及び溝の少なくとも一部が、患者の身体部分のサイズとほぼ一致するよう重なる。波形の少なくともいくつかの部分は、折り畳まれた波形のフレキシブルコネクタが意図せず展開しないよう、ベルクロタイプのフック及びループを持つことができる。
【００３６】
包帯のフレキシブルコネクタ及び２つのレセプタクルは、フレキシブルコネクタが２つのレセプタクルから取り外せないよう一体化されてもよい。代替的に、フレキシブルコネクタ及びレセプタクルは、互いに取り外し可能であってもよい。取り外し可能又は交換可能なフレキシブルコネクタは、高度のカスタマイズ性を可能にすることができる。なぜなら、ユーザが必要に応じてフレキシブルコネクタ又はレセプタクルを交換することができるからである。
【００３７】
例えば、ユーザは、短いフレキシブルコネクタをより長いフレキシブルコネクタで置き換える、又は長いフレキシブルコネクタをより短いフレキシブルコネクタで置き換えることができる。ユーザは、磨耗又は汚染されたフレキシブルコネクタを、新しい又は滅菌されたフレキシブルコネクタで置き換えることもできる。反対に、ユーザは、摩耗した又は汚染されたレセプタクルを新しい又は滅菌されたフレキシブルコネクタで置き換えることができる。
【００３８】
図２は、本発明のパルスオキシメトリアセンブリを使用してパルスオキシメータデータを測定する方法を示す。光エミッタ及び光センサが、最初に、フレキシブルコネクタを含む包帯に取り付けられる（ステップ２０２）。患者の身体部分の形状及びサイズに適合するよう、アセンブリは、フレキシブルコネクタを介して伸ばされ（ステップ２０４）、パルスオキシメトリ測定に使用される患者の身体部分に取り付けられる（ステップ２０６）。アタッチメントが安定し、光エミッタ及び光センサが整列され、患者の身体部分と接触するよう、アセンブリが調整される（ステップ２０８）。パルスオキシメトリデータの取得は、光センサデータを取得するため、光エミッタ及び光センサを作動させることにより開始される（ステップ２１０）。その後、取得された光センサデータは、格納又は更なる処理のため、ケーブルコネクタを介して患者モニタに送信される（ステップ２１２）。
【００３９】
図３Ａ〜図３Ｃは、様々な患者の身体部分に使用されるカスタマイズ可能なパルスオキシメトリアセンブリの様々な実施形態を示す。図３Ａは、小さな指３０２に取り付けられたパルスオキシメトリアセンブリ１００を示す。図３Ｂは、より大きな指３０４に取り付けられたパルスオキシメトリアセンブリ１００を示す。図３Ｃは、幼児の足３０６に取り付けられたパルスオキシメトリアセンブリ１００を示す。本発明のパルスオキシメトリアセンブリは、耳、額、鼻及びつま先のような他の患者の身体部分に使用されることもできる。
【００４０】
本発明に関する例示的な使用例では、３人の患者が救急室に運ばれる。第１の患者は１０歳の子供であり、第２の患者は成人男性であり、第３の患者は乳児である。医療従事者は、最初の患者にアテンドし、最初に包帯を選択し、光エミッタ及び光センサを包帯に取り付けることにより、パルスオキシメータアセンブリを準備する。包帯は、その後、子供の指に付けられる。包帯は、子供の指の形状及びサイズに適合するよう調節される。その後、医療従事者は、子供の血液酸素飽和レベルを測定する。
【００４１】
測定後、医療従事者は第２の患者にアテンドする。医療従事者は、成人患者に対して同じパルスオキシメトリアセンブリを使用する。パルスオキシメトリアセンブリは、最初に消毒剤で拭き取られ、その後、指といった第２の患者の身体部分を収容するよう、フレキシブルコネクタが伸長される。この指は、最初の患者のよりも大きいであろう。その後、パルスオキシメータデータが測定される。
【００４２】
次いで、医療従事者は、幼児患者のパルスオキシメトリ測定を行う。医療従事者は、消毒後、同じ光エミッタ及び光センサを使用することを決定するが、感染を最小限に抑えるため、幼児のための新しい包帯を使用する。その後、医療従事者は、フレキシブルコネクタを伸ばして幼児の足にフィットさせ、幼児のパルスオキシメトリデータを取得する。
【００４３】
各パルスオキシメータデータを取得した後、医療従事者は、取得したデータを表示して処理するため、救急室のデスクトップコンピュータに取得したデータを転送する。医療従事者は、デスクトップコンピュータにおいて様々なデータを見て、そのデータを分析し、診断に達し、所見及びコメントをそれぞれの患者記録に入力する。使用されたパルスオキシメトリアセンブリ要素は、廃棄されるか、又は別の患者に再使用するため滅菌されることができる。
【００４４】
パルスオキシメトリアセンブリは、フレキシブルディスプレイ、フレキシブル電源、フレキシブル光源、及びフレキシブルセンサなどのフレキシブル電子要素を含むことができる。一実施形態では、光センサと光エミッタとは共に可撓性であり、パルスオキシメトリアセンブリを患者の身体部分にフィットさせるときの調整を容易にする。別の実施形態では、レセプタクルは、光エミッタ及び光センサのアラインメントの程度を示すため、可撓性ＯＬＥＤディスプレイなどの視覚的表示を提供するフレキシブルディスプレイを含むことができる。光エミッタ及び光センサは、包帯のレセプタクルに埋め込まれた可撓性バッテリにより電力を供給されてもよい。
【００４５】
本発明は、上述した本発明のいくつかの例示的な実施形態に限定されるものではない。当業者であれば想像される他の変形も、本開示の範囲に含まれることが意図される。
【図１Ａ】
2019502422.tif 000003
【図１Ｂ】
2019502422.tif 000004
【図１Ｃ】
2019502422.tif 000005
【図２】
2019502422.tif 000006
【図３Ａ】
2019502422.tif 000007
【図３Ｂ】
2019502422.tif 000008
【図３Ｃ】
2019502422.tif 000009
【国際調査報告】
2019502422.tif 000010
2019502422.tif 000011
2019502422.tif 000012